(57)【要約】      （修正有）【課題】映像メディアの早送り再生時において即時情報の音声出力がなされた場合に、その聴取の困難さ改善する「車載用電子装置およびその多重化音声再生方法」を提供する。【解決手段】マルチメディア再生部２００により音声情報を含む映像コンテンツが早送り再生されている場合において、再生モード切替制御部３１０は、即時情報の入力が検知された信号を受けて、マルチメディア再生部の再生速度制御部２１８を制御し、その再生速度モードを一時的に通常モードに切り替える。これによって、即時情報に係る案内音声の同時出力に拘らず、映像コンテンツに係る音声の聴取が容易になる。【選択図】図２
2013162361.tif 000002
【特許請求の範囲】
【請求項１】
音声情報を含む映像コンテンツを再生する手段であって、その早送り再生を可能にするものと、
即時情報を音声により搭乗者に通知する手段と、
前記映像コンテンツの早送り再生時において前記即時情報の入力があった場合に、その再生速度を一時的に低下させる手段と、
前記映像コンテンツの出力音声に即時情報に係る音声を多重化して出力する手段と、
を有する車載用電子装置。
【請求項２】
前記映像コンテンツの再生速度を一時的に低下させる手段が、
前記即時情報の入力を検知する手段と、
前記即時情報の入力が検知された場合に、前記映像コンテンツが早送り再生されているか否かを判断する手段と、
前記映像コンテンツが早送り再生されていると判断される場合に、その再生速度を一時的に低下させるよう前記映像コンテンツの再生手段を制御する手段と、
を有する請求項１に記載の車載用電子装置。
【請求項３】
前記映像コンテンツの再生速度を一時的に低下させる手段が、
前記映像コンテンツの早送り再生に係る設定情報を記録する手段と、
前記即時情報に係る音声の出力が完了したかを判断する手段と、
前記即時情報に係る音声の出力が完了していると判断される場合に、前記記録した早送
り再生に係る設定情報に基づいて、前記映像コンテンツの再生速度を元の状態に戻す手段
と、
を有する請求項２に記載の車載用電子装置。
【請求項４】
前記映像コンテンツの再生速度を一時的に低下させる手段は、その再生速度を通常の再生速度にするものである、請求項１に記載の車載用電子装置。
【請求項５】
前記即時情報が車両環境の変化に係るものである、請求項１に記載の車載用電子装置。
【請求項６】
前記車載用電子装置が、車両を設定したルートに誘導するべく搭乗者に音声による案内を実施するナビゲーション手段をさらに有し、
前記即時情報が、前記ナビゲーションに係る案内情報を含む、
請求項１に記載の車載用電子装置。
【請求項７】
前記車載用電子装置が、交通情報を受信する交通情報受信手段をさらに有し、
前記即時情報が、前記交通情報を含む、請求項１に記載の車載用電子装置。
【請求項８】
音声情報を含む映像コンテンツを再生するステップであって、その早送り再生を可能にするものと、
即時情報を音声により搭乗者に通知するステップと、
前記映像コンテンツの早送り再生時において前記即時情報の入力があった場合に、その再生速度を一時的に低下させるステップと、
前記映像コンテンツの出力音声に即時情報に係る音声を多重化して出力するステップと、
を有する車載用電子装置における多重化音声再生方法。
【請求項９】
前記映像コンテンツの再生速度を一時的に低下させるステップが、
前記即時情報の入力を検知するステップと、
前記即時情報の入力が検知された場合に、前記映像コンテンツが早送り再生されている
か否かを判断するステップと、
前記映像コンテンツが早送り再生されていると判断される場合に、その再生速度を一時的に低下させるよう前記映像コンテンツの再生を制御するステップと、
を有する請求項８に記載の車載用電子装置における多重化音声再生方法。
【請求項１０】
前記映像コンテンツの再生速度を一時的に低下させるステップが、
前記映像コンテンツの早送り再生に係る設定情報を記録するステップと、
前記即時情報に係る音声の出力が完了したかを判断するステップと、
前記即時情報に係る音声の出力が完了していると判断される場合に、前記記録した早送り再生に係る設定情報に基づいて、前記映像コンテンツの再生速度を元の状態に戻すステップと、を有する請求項９に記載の車載用電子装置における多重化音声再生方法。
【請求項１１】
音声情報を含む映像コンテンツを再生するステップであって、その早送り再生を可能にするものと、
即時情報を音声により搭乗者に通知するステップと、
前記映像コンテンツの早送り再生時において前記即時情報の入力があった場合に、その再生速度を一時的に低下させるステップと、
前記映像コンテンツの出力音声に即時情報に係る音声を多重化して出力するステップと、
を有する車載用電子装置における多重化音声再生プログラム。
【請求項１２】
前記映像コンテンツの再生速度を一時的に低下させるステップが、
前記即時情報の入力を検知するステップと、
前記即時情報の入力が検知された場合に、前記映像コンテンツが早送り再生されているか否かを判断するステップと、
前記映像コンテンツが早送り再生されていると判断される場合に、その再生速度を一時的に低下させるよう前記映像コンテンツの再生を制御するステップと、
を有する請求項１１に記載の車載用電子装置における多重化音声再生プログラム。
【請求項１３】
前記映像コンテンツの再生速度を一時的に低下させるステップが、
前記映像コンテンツの早送り再生に係る設定情報を記録するステップと、
前記即時情報に係る音声の出力が完了したかを判断するステップと、
前記即時情報に係る音声の出力が完了していると判断される場合に、前記記録した早送り再生に係る設定情報に基づいて、前記映像コンテンツの再生速度を元の状態に戻すステップと、を有する請求項１２に記載の車載用電子装置における多重化音声再生プログラム。
【発明の詳細な説明】
【技術分野】
【０００１】
本発明は、映像コンテンツの再生機能を持ったナビゲーション装置などの車載用電子装
置およびその多重化音声再生方法に関する。
【背景技術】
【０００２】
ナビゲーション機能およびマルチメディア再生機能を持った車載用電子装置が普及しており、車内で、ラジオ放送や音楽再生を楽しむだけでなく、テレビ放送や映画などの映像コンテンツを、ＤＶＤなどのメディアを介して再生視聴して楽しむユーザが増えている。一方で、車両の走行中においては、車載用電子装置の備える機能に応じて、ドライバーに対して車両の走行環境に応じた各種の即時情報が、合成音声により通知される。例えば、ナビゲーション機能による目的地案内においては、交差点その他のポイントにおいてドライバーに、走行指示を出す音声案内が出力され、また、道路交通情報通信システム（ＶＩＣＳ）に対応した機種の場合、道路に設置したビーコンなどからの交通情報を適時受信して、即時に音声による案内として出力する。そしてマルチメディア視聴中に、この種の即時情報がシステムに入力された場合は、マルチメディア側の音声データに、即時情報に係る音声データを多重化して再生することが一般的に行われている。
【０００３】
一方で、近年、車載用電子装置におけるマルチメディア再生機能において、家庭用メディア再生機器と同様の、１．５倍速や２倍速といった早送り再生と呼ばれる再生機能の実装に対する要望が高まっている。早送り再生においては、映像の早送り進行に伴って音声も早送りされるために、若干の聞き取りづらさはあるものの、総視聴時間を短縮できるという利点があり、例えば、同乗者が目的地到着前までに視聴を終わらせたいなどの要求に答えることができる。
【０００４】
しかしながら、このような早送り再生機能を車載用の電子装置に適用した場合には、以下のような問題が顕在化することが予想される。すなわち、車両の走行中、映像コンテンツの早送り再生を行なっている場合において、ドライバーに対する上述した即時情報の係る音声割り込みが発生し、それらが多重化して出力された場合には、唯でさえ聞き取りづらいマルチメディアコンテンツの音声出力が、一層不鮮明になって、その聴取が極めて困難になる。しかも早送り再生を行なっているために、即時情報の再生期間に進行する内容の量は通常再生時よりも多くなり（倍速再生では２倍）、映像メディアに関し、その間視聴者が失う情報量が多く、その程度によっては内容把握に支障をきたす恐れがある。
【０００５】
この問題に関連して、早送り再生時における音声の聞き取りづらさを補完しうる技術として、特許文献１〜３が存在する。特許文献１は、早送り再生時に自動で字幕を表示する技術を開示する。特許文献２は、早送り再生時に、字幕の表示密度を高めて一つの字幕表示内の文字数を多くする技術を開示する。特許文献３は、早送り再生時に、自動でその音量を上げるように調整する技術を開示する。
【先行技術文献】
【特許文献】
【０００６】
【特許文献１】特開２００８ー７２５８６号公報
【特許文献２】特開２００２ー３３９９３号公報
【特許文献３】特開２００１ー２９０４７７号公報
【発明の概要】
【発明が解決しようとする課題】
【０００７】
しかしながら、これら文献に開示の技術を、車載用電子装置における早送り再生において適用する場合でも、次のような問題が依然として残る。すなわち、特許文献１および２に開示の字幕表示による方法では、字幕表示ための情報を備えた映像メディアに係る再生時にしかその恩恵を受けることができず、また字幕情報を備えた映像メディアにおいても、ユーザが音声による再生を好む（または字幕表示を嫌う）場合には、好ましい解決方法とはならない。また、特許文献３に係る音量を調整する方法により、映像メディア側の音量を上げることで、同乗者によるその聴取は改善されると思われるものの、その一方で、ドライバーによる即時情報の聴取が困難になる恐れがあり、安全な運転に支障をきたす危険がある。
【０００８】
本発明は、このような課題を解決し、映像メディアの早送り再生時において即時情報の音声出力がなされた場合に、その聴取の困難さを改善する車載用電子装置およびその多重化音声再生方法を提供することを目的としている。
【課題を解決するための手段】
【０００９】
本発明の車載用電子装置は、音声情報を含む映像コンテンツを再生する手段であって、その早送り再生を可能にするものと、即時情報を音声により搭乗者に通知する手段と、前記映像コンテンツの早送り再生時において前記即時情報の入力があった場合に、その再生速度を一時的に低下させる手段と、前記映像コンテンツの出力音声に即時情報に係る音声を多重化して出力する手段と、を有する。
【００１０】
好ましくは、前記映像コンテンツの再生速度を一時的に低下させる手段が、前記即時情報の入力を検知する手段と、前記即時情報の入力が検知された場合に、前記映像コンテンツが早送り再生されているか否かを判断する手段と、前記映像コンテンツが早送り再生されていると判断される場合に、その再生速度を一時的に低下させるよう前記映像コンテンツの再生手段を制御する手段と、を有する。
【００１１】
好ましくは、前記映像コンテンツの再生速度を一時的に低下させる手段が、前記映像コンテンツの早送り再生に係る設定情報を記録する手段と、前記即時情報に係る音声の出力が完了したかを判断する手段と、前記即時情報に係る音声の出力が完了していると判断される場合に、前記記録した早送り再生に係る設定情報に基づいて、前記映像コンテンツの再生速度を元の状態に戻す手段と、を有する。
【００１２】
好ましくは、前記映像コンテンツの再生速度を一時的に低下させる手段は、その再生速度を通常の再生速度にするものである。また好ましくは、前記即時情報が車両環境の変化に係るものである。また好ましくは、前記車載用電子装置が、車両を設定したルートに誘導するべく搭乗者に音声による案内を実施するナビゲーション手段をさらに有し、前記即時情報が、前記ナビゲーションに係る案内情報を含むものである。また好ましくは、前記車載用電子装置が、交通情報を受信する交通情報受信手段をさらに有し、前記即時情報が、前記交通情報を含むものである。
【００１３】
本発明の車載用電子装置における多重化音声再生方法は、音声情報を含む映像コンテンツを再生するステップであって、その早送り再生を可能にするものと、即時情報を音声により搭乗者に通知するステップと、前記映像コンテンツの早送り再生時において前記即時情報の入力があった場合に、その再生速度を一時的に低下させるステップと、前記映像コンテンツの出力音声に即時情報に係る音声を多重化して出力するステップと、を有する。
【００１４】
好ましくは、前記映像コンテンツの再生速度を一時的に低下させるステップが、前記即時情報の入力を検知するステップと、前記即時情報の入力が検知された場合に、前記映像コンテンツが早送り再生されているか否かを判断するステップと、前記映像コンテンツが早送り再生されていると判断される場合に、その再生速度を一時的に低下させるよう前記映像コンテンツの再生を制御するステップと、を有する。
【００１５】
好ましくは、前記映像コンテンツの再生速度を一時的に低下させるステップが、前記映像コンテンツの早送り再生に係る設定情報を記録するステップと、前記即時情報に係る音声の出力が完了したかを判断するステップと、前記即時情報に係る音声の出力が完了していると判断される場合に、前記記録した早送り再生に係る設定情報に基づいて、前記映像コンテンツの再生速度を元の状態に戻すステップと、を有する。
【００１６】
本発明の車載用電子装置における多重化音声再生プログラムは、音声情報を含む映像コンテンツを再生するステップであって、その早送り再生を可能にするものと、即時情報を音声により搭乗者に通知するステップと、前記映像コンテンツの早送り再生時において前記即時情報の入力があった場合に、その再生速度を一時的に低下させるステップと、前記映像コンテンツの出力音声に即時情報に係る音声を多重化して出力するステップと、を有する。
【００１７】
好ましくは、前記映像コンテンツの再生速度を一時的に低下させるステップが、前記即時情報の入力を検知するステップと、前記即時情報の入力が検知された場合に、前記映像コンテンツが早送り再生されているか否かを判断するステップと、前記映像コンテンツが早送り再生されていると判断される場合に、その再生速度を一時的に低下させるよう前記映像コンテンツの再生を制御するステップと、を有する。
【００１８】
好ましくは、前記映像コンテンツの再生速度を一時的に低下させるステップが、前記映像コンテンツの早送り再生に係る設定情報を記録するステップと、前記即時情報に係る音声の出力が完了したかを判断するステップと、前記即時情報に係る音声の出力が完了していると判断される場合に、前記記録した早送り再生に係る設定情報に基づいて、前記映像コンテンツの再生速度を元の状態に戻すステップと、を有する。
【発明の効果】
【００１９】
本発明によれば、車両走行時における即時情報の音声割り込み発生時に、映像メディアを早送り再生によって視聴していた場合、その入力が検知されて映像メディアの再生速度は低下、好ましくは通常の再生速度に一時的に設定されることとなる。これによって、即時情報の多重化によっても、同乗者による映像メディアの聞き取りが容易になり、一方で、ドライバーの即時情報の聴取を妨げることもない。
【図面の簡単な説明】
【００２０】
【図１】本発明の一実施例に係る車載用電子装置のブロック図である。
【図２】図１の車載用電子装置におけるマルチメディア再生部と即時情報通知制御部の構成を示すブロック図である。
【図３】図２の即時情報通知制御部における制御を示すフローチャートである。
【発明を実施するための形態】
【００２１】
次に、本発明の実施の形態について図面を参照して詳細に説明する。以下では、ＧＰＳによるナビゲーション機能、ＶＩＣＳによる道路交通情報受信機能、ならびに映画やテレビ番組などの映像コンテンツを格納したＤＶＤなどのメディア再生機能を備えた車載用電子装置に沿って、本発明の具体的な実施態様について説明する。
【実施例】
【００２２】
図１は、本発明の実施例に係る車載用電子装置の典型的な構成を示すブロック図である。車載用電子装置１０は、車内バスから車両の状態に関する信号を受信するバスインターフェース（Ｉ／Ｆ）２０、ＧＰＳ衛星からの信号を受信して自車位置を検出するＧＰＳ受信機３０、ＶＩＣＳセンタから配信される道路交通情報を受信するＶＩＣＳ受信機４０、ユーザからの入力を受け取る入力部５０、無線または有線により外部機器とデータ通信をする通信制御部６０、映画やテレビ番組などの映像コンテンツを格納したＤＶＤや音楽ＣＤなどのメディアや接続された外部機器内のコンテンツを再生可能とするマルチメディア再生部７０、車両の環境変化に応じて受信される各種即時情報を音声によりドライバーに通知する即時情報通知制御部８０、大容量ハードディスクなどの記憶媒体を含む記憶部９０、スピーカ１０２から音声を出力させる音声出力部１００、ディスプレイ１１２に道路地図等の画像を表示させる表示制御部１１０、プログラムを記憶するプログラムメモリ１２０、データを一時的に記憶するデータメモリ１３０、プログラムを実行することで各部を制御する制御部１４０を含んで構成される。
【００２３】
バスインターフェース２０は、自立航法センサ（例えば、車速センサや加速度センサ、ジャイロセンサ等）からの検出信号などを受け取り、これを制御部１４０へ提供する。ＶＩＣＳ受信機４０は、光ビーコン、電波ビーコン、ＦＭ多重放送などによりＶＩＣＳセンタ側から配信された道路交通情報や駐車場の空き情報を受信し、これを制御部１４０へ提供する。入力部５０は、ディスプレイ１１２に接触して入力を可能にする操作パネル５２、音声により入力を可能にする音声入力部５４、およびリモコン５６を含む。
【００２４】
マルチメディア再生部７０は、ＣＤ、ＤＶＤ、ブルーレイディスク、メモリ媒体、データメモリ１３０などに記録されたオーディオデータやビデオデータを再生する機能、テレビ放送やラジオ放送を受信・再生する機能などを有してよい。マルチメディア再生部７０は、映像や音楽などのディジタルコンテンツを記録した媒体を、光ピックアップで読み取って電気信号に変換し、読み取った映像信号をディスプレイ上に表示再生できるよう処理し、読み取った音声信号をスピーカから出力できるよう処理する。その詳細については後述する。
【００２５】
プログラムメモリ１２０は、自立航法センサやＧＰＳ受信機３０からの検出信号に基づき自車位置を算出する自車位置算出プログラム１２２、自車位置やその他の開始位置から目的地までの最適な誘導経路を探索しこれを案内する誘導経路案内プログラム１２４、施設を検索するための施設検索プログラム１２６などを含む。データメモリ１３０は、例えば、記憶部９０から読み出した道路地図データ１３２、検索された施設データ１３４などを記憶し、また、マルチメディア再生に係る映像・音声・字幕データをバッファリングする。
【００２６】
図２は、マルチメディア再生部７０と即時情報通知制御部８０の機能的な構成を示すブロック図である。最初に、マルチメディア再生部における映像コンテンツの再生機能について説明する（図では当該機能に係る構成ブロックのみを示している）。図において、マルチメディア再生部２００は、情報メディア読み取り部２０２、デマルチプレクサ（ＤＭＵＸ）２０４、映像デコーダ２０６、オーディオデコーダ２０８、デコード済みの各種データを一時的に保持する各種バッファ２１０〜２１４、映像合成部２１６、おおよび再生速度制御部２１８を含んで構成されている。ＤＶＤで提供され、マルチメディア再生部２００で再生される映像コンテンツには、映画やドラマなどの映像データと共に、各言語ごとの音声データと字幕データが含まれている。
【００２７】
情報メディア読み取り部２０２は、ＣＤ、ＤＶＤなどの記憶媒体を挿入・駆動して、光ピックアップで媒体上のデータを電気信号に変換して逐次読み出すと共に、その出力信号をディジタルデータに復調しかつ誤り訂正等を行う。実施例において、字幕および音声付きの映画やテレビ放送その他の映像コンテンツを記録したＤＶＤが、情報メディア読み取り部２０２に挿入されてその情報が読み出される。ＤＭＵＸ２０４は、情報メディア読み取り部２０２で復調されたデータビットストリームから映像データ、オーディオデータおよび字幕データをそれぞれ分離する。映像デコーダ２０６は、ＭＰＥＧその他の形式でディジタル圧縮された映像信号をデコードし、デコードされた映像データは映像バッファ２１２に蓄えられる。また、ＤＭＵＸ２０４で分離された字幕データは字幕バッファ２１０に蓄えられる。映像バッファ２１２に蓄えられた映像データは、逐次映像合成部２１６に与えられ、ここで字幕データと合成される。オーディオデコーダ２０８は、ディジタル圧縮されたオーディオ信号をデコードする。デコードされたオーディオデータはオーディオバッファ２１４に蓄積される。ここでの説明は省略するが、洋画などの主副複数のオーディオチャンネルを持ったコンテンツにおいては、そのそれぞれが分離、デコード処理され、バッファに蓄積される。そしてユーザの設定に基づいてその何れかが読み出され、選択的に出力される。
【００２８】
再生速度制御部２１８は、映像コンテンツの出力再生速度をコントロールする。すなわち、再生速度制御部２１８は、映像合成部２１６からの映像データと、オーディオバッファ２１４からのオーディオデータを入力とし、ユーザの選択に基づき設定された速度情報に従って、コンテンツの映像およびオーディオを出力制御する。好適な実施例において、再生速度制御部２１８は、通常の再生速度に対して１．５倍速および／または２倍速による早送り再生を可能とする切り替え可能なモードを有する。ユーザは、図１で示した入力部５０を介して、随時映像コンテンツの再生モードを設定および変更することができる。
【００２９】
次に、即時情報通知制御部の構成について説明する。図２において、即時情報通知制御部３００は、即時情報に対する案内音声を生成する案内音声生成部３０２、生成した案内音声の搭乗者への出力タイミングを制御する案内音声出力制御部３０４、案内音声をマルチメディア再生部２００から出力されるオーディオ信号に多重化する音声合成部３０６、即時情報の割り込み発生を検知する音声割込み発生検知部３０８、および即時情報に係る音声出力の有無に応じて、マルチメディア再生部による映像コンテンツの再生速度を制御する再生モード切替制御部３１０を有する。
【００３０】
本車載用電子装置１０においては、そのナビゲーション機能および道路交通情報受信機能に基づいて、車両の走行中ドライバーに対して車両の走行環境に応じた各種の即時情報が入力される。例えば、ナビゲーション機能による目的地案内においては、ＧＰＳにより車両が交差点、ランドマークその他のポイントに接近している旨の情報が入力される。また、ＶＩＣＳにより道路に設置したビーコンなどから交通情報に係る信号が、車両の通過時に受信される。即時情報通知制御部３００は、このような即時情報の入力を受けて、それに対応する案内音声を生成し、車両の走行位置とのタイミングを図って搭乗者へ向けて音声出力する。音声割込み発生検知部３０８は、このような即時情報の入力を検知し、再生モード切替制御部３１０に検知信号を出力する。再生モード切替制御部３１０は、マルチメディア再生部の再生速度制御部２１８に接続されており、そこから現在の再生モードを取得すると共に、その取得したモードに基づいて、再生速度制御部２１８に対し、その再生モードを切り替える制御信号を送出する。このとき切り替え前の再生モードをメモリ上に記録しておく。また、再生モード切替制御部３１０は、案内音声出力制御部３０４からの信号を受けて、案内音声の出力が終わったタイミングを取得し、この信号に基づいて再生速度制御部２１８に制御信号を送出し、映像コンテンツの再生を元の再生モードに切り替えるべく制御する。
【００３１】
次に、マルチメディア再生部２００により映像コンテンツが再生されている際の、即時情報通知制御部３００の動作を、図２および図３のフローチャートに沿って説明する。図３において、本処理は、即時情報通知制御部３００に即時情報の入力が検知されたことにより開始される（ステップＳ３０２）。案内音声生成部３０２および案内音声出力制御部３０４における処理に並行して、再生モード切替制御部３１０は、音声割込み発生検知部３０８からの検知信号を受けて、マルチメディア再生部２００の再生速度制御部２１８にアクセスして、現在の再生モードを取得する（ステップＳ３０４）。
【００３２】
取得した再生モードを判断し（ステップＳ３０６）、それが、早送り再生に係るモード（例えば２倍速モード）である場合には、メモリ上に該モードを記録し（ステップＳ３０３において、本処理は、即時情報通知制御部３００に即時情報の入力が検知されたことにより開始される（ステップＳ３０２）。案内音声生成部３０２および案内音声出力制御部３０４における処理に並行して、再生モード切替制御部３１０は、音声割込み発生検知部３０８からの検知信号を受けて、マルチメディア再生部２００の再生速度制御部２１８にアクセスして、現在の再生モードを取得する（ステップＳ３０４）。
【００３３】
取得した再生モードを判断し（ステップＳ３０６）、それが、早送り再生に係るモード（例えば２倍速モード）である場合には、メモリ上に該モードを記録し（ステップＳ３０）、再生速度制御部２１８に対して、通常再生モードへ切り替える制御信号を送出する（ステップＳ３１０）。これによってマルチメディア再生部による映像コンテンツの再生は、そのユーザ設定に拘らず、一定時間通常再生モードで再生されることとなる。
【００３４】
上記処理と並行して行われていた即時情報に係る案内音声は、その適時タイミングで音声合成部３０６に出力され、ここで、通常再生による映像コンテンツのオーディオデータと多重化され、搭乗者に向けて音声出力される（ステップＳ３１２）。映像コンテンツの視聴者においては、その音声に、即時情報に係る音声が重なり合っているために、若干の聞き取りづらさはあるものの、映像コンテンツの再生速度が通常再生モードへ引き下げられていることから、その聴取は可能であり、またコンテンツの進行も遅くなっているので、視聴に対する影響も小さいものである。一方で、即時情報の聞き取りを行うドライバーに取っても、映像コンテンツの再生速度が引き下げられたことから、その音の密度が小さくなって即時情報の聞き取りが容易になる。
【００３５】
次に、即時情報に係る音声案内の出力が完了すると（ステップＳ３１４）、案内音声出力制御部３０４からその終了を示す制御信号が、再生モード切替制御部３１０に与えられ。この信号に基づいて、再生モード切替制御部３１０は、メモリに記録した元の再生モードを読み出し、それが早送り再生モードである場合は（ステップＳ３１６）、再生速度制御部２１８に制御信号を送って、その再生モードを元の早送り再生モードに戻す（ステップＳ３１８）。これによって映像コンテンツの視聴者は、引き続き自身が指定した早送り再生モードにて、その視聴が可能となる。以上により、本処理は終了する。
【００３６】
以上、本発明の好ましい実施の形態について詳述したが、本発明は、特定の実施形態に限定されるものではなく、特許請求の範囲に記載された本発明の要旨の範囲内において、種々の変形・変更が可能である。例えば、再生モード切替制御部３１０による再生モードの切り替えは、一時的にその再生速度を通常の再生速度よりもさらに遅くする、スロー再生モードに制御するものであってもよいし、また必ずしも通常再生速度まで低下させなくとも、その聴取の改善が見込まれる範囲で低下させることが可能である。また、音声割込み発生検知部３０８が再生モード切替制御部３１０に検知信号を送出するタイミングは、案内音声出力制御部３０４が即時情報に係る案内音声を出力させる前のタイミングであればよく、従って、例えば、案内音声生成部３０２において案内音声が生成された後のタイミングであってもよい。
【符号の説明】
【００３７】
５０：入力部                          ５２：操作パネル
５４：音声入力部                      ５６：リモコン
６０：通信制御部                      ７０：マルチメディア再生部
８０：即時情報通知制御部              ９０：記憶部
１００：音声出力部                    １０２：スピーカ
１１０：表示制御部                    １１２：ディスプレイ
１２０：プログラムメモリ              １２２：自車位置算出プログラム
１２４：誘導経路案内プログラム        １２６：施設検索プログラム
１３０：データメモリ                  １３２：道路地図データ
１３４：施設データ                    １４０：制御部
２００：マルチメディア再生部          ２０２：情報メディア読み取り部
２０４：デマルチプレクサ（ＤＭＵＸ）  ２０６：映像デコーダ
２０８：オーディオデコーダ            ２１０：字幕バッファ
２１２：映像バッファ                  ２１４：オーディオバッファ
２１６：映像合成部                    ２１８：再生速度制御部
３００：即時情報通知制御部            ３０２：案内音声生成部
３０４：案内音声出力制御部            ３０６：音声合成部
３０８：音声割込み発生検知部          ３１０：再生モード切替制御部
【図１】
2013162361.tif 000003
【図２】
2013162361.tif 000004
【図３】
2013162361.tif 000005